(57)【要約】【課題】携帯電話機等の携帯端末と決済処理端末との少なくとも何れか一方が第２のトランザクションをサポートしていない場合であっても、当該携帯端末内に記憶されている累積利用金額をリセットすることが可能な情報処理プログラム、携帯端末、及びホストサーバを提供する。【解決手段】携帯端末１は、ＳＩＭカード１８に記憶された累積利用金額情報を例えば所定時間間隔で繰り返しＳＩＭカード１８から取得し、当該累積利用金額が予め設定された基準金額以上である場合、携帯端末１のユーザのオーソリゼーションの確認要求を、移動体通信網を介してホストサーバ３へ送信し、当該オーソリゼーションの確認結果が良好の場合に、当該ホストサーバ３から送信された累積利用金額リセットコマンド群にしたがって、ＳＩＭカード１８に記憶された累積利用金額情報が示す累積利用金額をリセットさせる。【選択図】図３
2015087826.tif 000002
【特許請求の範囲】
【請求項１】
外部の決済処理端末と電波により通信するためのＩＣチップが搭載された携帯端末のコンピュータを、
前記携帯端末が備えるメモリに記憶された累積利用金額情報であって取引における累積利用金額を示す累積利用金額情報を所定のタイミングで前記メモリから取得する累積利用金額取得手段、
前記累積利用金額取得手段により取得された前記累積利用金額情報が示す累積利用金額が予め設定された基準金額以上である場合、前記携帯端末のユーザのオーソリゼーションの確認要求を通信ネットワークを介してホストサーバへ送信する確認要求送信手段、
前記オーソリゼーションの確認結果が良好の場合に、当該ホストサーバから前記通信ネットワークを介して送信されるコマンドであって前記累積利用金額をリセットさせるコマンドを受信するコマンド受信手段、及び、
前記コマンド受信手段により受信された前記コマンドにしたがって、前記メモリに記憶された前記累積利用金額情報が示す累積利用金額をリセットさせる累積利用金額リセット手段として機能させることを特徴とする情報処理プログラム。
【請求項２】
前記累積利用金額取得手段は、所定時間間隔で繰り返し前記累積利用金額情報を前記メモリから取得することを特徴とする請求項１に記載の情報処理プログラム。
【請求項３】
前記携帯端末にはＡＰＩ（Application Program Interface）がインストールされており、前記累積利用金額リセット手段は、前記ＡＰＩに前記コマンドを送信することで前記累積利用金額をリセットさせることを特徴とする請求項１または２に記載の情報処理プログラム。
【請求項４】
前記情報処理プログラムは、オペレーティングシステム上でユーザにより操作対象とされないバックグラウンドで実行されるアプリケーションソフトウェアであることを特徴とする請求項１乃至３の何れか一項に記載の情報処理プログラム。
【請求項５】
外部の決済処理端末と電波により通信するためのＩＣチップが搭載された携帯端末であって、
前記携帯端末が備えるメモリに記憶された累積利用金額情報であって取引における累積利用金額を示す累積利用金額情報を所定のタイミングで前記メモリから取得する累積利用金額取得手段と、
前記累積利用金額取得手段により取得された前記累積利用金額情報が示す累積利用金額が予め設定された基準金額以上である場合、前記携帯端末のユーザのオーソリゼーションの確認要求を通信ネットワークを介してホストサーバへ送信する確認要求送信手段と、
前記オーソリゼーションの確認結果が良好の場合に、当該ホストサーバから前記通信ネットワークを介して送信されるコマンドであって前記累積利用金額をリセットさせるコマンドを受信するコマンド受信手段と、
前記コマンド受信手段により受信された前記コマンドにしたがって、前記メモリに記憶された前記累積利用金額情報が示す累積利用金額をリセットさせる累積利用金額リセット手段と、
を備えることを特徴とする携帯端末。
【請求項６】
外部の決済処理端末と電波により通信するためのＩＣチップが搭載された携帯端末と通信ネットワークを介して通信可能なホストサーバであって、
前記携帯端末は、メモリに記憶された累積利用金額情報であって取引における累積利用金額を示す累積利用金額情報を所定のタイミングで前記メモリから取得し、取得した前記累積利用金額情報が示す累積利用金額が予め設定された基準金額以上である場合、前記携帯端末のユーザのオーソリゼーションの確認要求を通信ネットワークを介してホストサーバへ送信するものであり、
前記ホストサーバは、
前記携帯端末から前記通信ネットワークを介して送信される前記オーソリゼーションの確認要求を受信する確認要求受信手段と、
前記確認要求受信手段により受信された前記確認要求に応じて、前記オーソリゼーションの確認処理を実行する確認処理実行手段と、
前記確認処理実行手段により確認された前記オーソリゼーションの確認結果が良好の場合に、前記累積利用金額をリセットさせるコマンドを前記通信ネットワークを介して前記携帯端末へ送信するコマンド送信手段と、
を備えることを特徴とするホストサーバ。
【発明の詳細な説明】
【技術分野】
【０００１】
本発明は、外部の決済処理端末と電波により通信するためのＩＣチップが搭載された携帯端末の技術に関する。
【背景技術】
【０００２】
近年、ＮＦＣ（NearField Communication）技術を採用したＮＦＣモジュールを搭載する携帯電話機は、非接触ＩＣ（Integrated Circuit）カードと同等に振る舞うカードエミュレーション機能を備えており、これによって携帯電話機を非接触ＩＣカードの代替として使用することが可能になっている（例えば、特許文献１参照）。このような携帯電話機には例えばクレジット決済用アプリケーションがインストール可能になっている。これにより、店舗の決済処理端末は、これに接続される読取器により発せられる電波により携帯電話機との間で通信を行いつつ取引の決済処理を行うことが可能になっている。
【０００３】
ところで、クレジット決済（クレジットカード決済）方式には、オンライン決済方式とオフライン決済方式とがある。オンライン決済方式は、店舗の決済処理端末が例えばクレジットカード会社のホストサーバ（ホストコンピュータ）とオンラインで接続して上記決済処理を行う方式である。このオンライン決済方式は、例えば、クレジット決済による累積利用金額（例えば、携帯電話機に搭載されるＳＩＭ（Subscriber Identity Module)カードに記憶された累積利用金額）が所定金額（例えば、１０，０００円）を超えている場合に利用される。一方、オフライン決済方式は、決済処理端末がクレジットカード会社のホストサーバに接続せずに上記決済処理を行う方式である。このオフライン決済方式は、例えば、クレジット決済による累積利用金額が所定金額以下の場合に利用される。
【０００４】
オンライン決済方式での具体的な処理の流れとして、例えばユーザが商品購入時における店舗のレジで自身の携帯電話機を上記読取器にかざすと、当該読取器により発せられる電波により購入金額を含むコマンドが決済処理端末からＮＦＣモジュールを介して携帯電話機へ送信される。当該携帯電話機は、読取器からの購入金額を含むコマンドを受信すると、当該購入金額を当該ＳＩＭカードに記憶された累積利用金額に加算し、加算した金額が所定金額を超えている場合、上記ホストサーバへの問い合わせ要求をＮＦＣモジュールにより読取器を介して決済処理端末へ送信（レスポンス）する。このように購入金額を含むコマンドが送信されてから、そのレスポンスまでの動作において、読取器と携帯電話機とのトランザクションを「第１のトランザクション」という。次に、決済処理端末は、上記問い合わせ要求に応じて、オンラインでホストサーバへ接続しユーザのオーソリゼーションの確認要求を送信する。このとき、読取器からの電波は一旦停止され、決済処理端末と携帯電話機との間の接続は切断される（ただし、一般に、切断後もユーザが携帯電話機を読取器にかざし続けている状態は継続している）。その後（例えば、数秒後）、決済処理端末は、ホストサーバからオーソリゼーションの確認結果を受信し、当該結果が良好（オーソリゼーションがＯＫ）であれば、決済処理を行うと共に、再び読取器から発する電波により累積利用金額のリセット要求を示すコマンドをＮＦＣモジュールを介して携帯電話機へ送信する。このリセット要求を示すコマンドに応じて、携帯電話機は、ＳＩＭカードに記憶されている累積利用金額をリセット（つまり、０円に）し、リセットしたことを示す情報を送信（レスポンス）する。このように累積利用金額のリセット要求を示すコマンドが送信されてから、そのレスポンスまでの動作において、読取器と携帯電話機とのトランザクションを「第２のトランザクション」という。
【先行技術文献】
【特許文献】
【０００５】
【特許文献１】特開２００７−１８３７８０号公報
【発明の概要】
【発明が解決しようとする課題】
【０００６】
ところで、携帯電話機内に記憶されている累積利用金額のリセットは、携帯電話機と決済処理端末の両方が第２のトランザクションをサポートしていなければ実行できない。しかしながら、ＩＣカードとの間で非接触または接触で通信を行う決済処理端末の中には、第２のトランザクションをサポートしていない決済処理端末が存在する。このような決済処理端末は、ホストサーバから応答されたオーソリゼーションの確認結果をＩＣカードに出力することができるため、ＩＣカードは、累積利用金額のリセット要求を示すコマンドを受信せずとも、累積利用金額のリセットを実行することができた。或いは、ホストサーバが、累積利用金額のリセット要求を示すコマンドを決済処理端末へ送信し、当該決済処理端末が、当該コマンドを接触インターフェイスを介してＩＣカードへ出力することもできた。ところが、第２のトランザクションをサポートしていない決済処理端末は、累積利用金額のリセット要求を示すコマンドをＮＦＣにより携帯電話機へ出力することができない。
【０００７】
そこで、本発明は、このような点に鑑み、携帯電話機等の携帯端末と決済処理端末との少なくとも何れか一方が第２のトランザクションをサポートしていない場合であっても、当該携帯端末内に記憶されている累積利用金額をリセットすることが可能な情報処理プログラム、携帯端末、及びホストサーバを提供することを目的とする。
【課題を解決するための手段】
【０００８】
上記課題を解決するために、請求項１に記載の発明は、外部の決済処理端末と電波により通信するためのＩＣチップが搭載された携帯端末のコンピュータを、前記携帯端末が備えるメモリに記憶された累積利用金額情報であって取引における累積利用金額を示す累積利用金額情報を所定のタイミングで前記メモリから取得する累積利用金額取得手段、前記累積利用金額取得手段により取得された前記累積利用金額情報が示す累積利用金額が予め設定された基準金額以上である場合、前記携帯端末のユーザのオーソリゼーションの確認要求を通信ネットワークを介してホストサーバへ送信する確認要求送信手段、前記オーソリゼーションの確認結果が良好の場合に、当該ホストサーバから前記通信ネットワークを介して送信されるコマンドであって前記累積利用金額をリセットさせるコマンドを受信するコマンド受信手段、及び、前記コマンド受信手段により受信された前記コマンドにしたがって、前記メモリに記憶された前記累積利用金額情報が示す累積利用金額をリセットさせる累積利用金額リセット手段として機能させることを特徴とする。
【０００９】
請求項２に記載の発明は、請求項１に記載の情報処理プログラムにおいて、前記累積利用金額取得手段は、所定時間間隔で繰り返し前記累積利用金額情報を前記メモリから取得することを特徴とする。
【００１０】
請求項３に記載の発明は、請求項１または２に記載の情報処理プログラムにおいて、前記携帯端末にはＡＰＩ（Application Program Interface）がインストールされており、前記累積利用金額リセット手段は、前記ＡＰＩに前記コマンドを送信することで前記累積利用金額をリセットさせることを特徴とする。
【００１１】
請求項４に記載の発明は、請求項１乃至３の何れか一項に記載の情報処理プログラムにおいて、前記情報処理プログラムは、オペレーティングシステム上でユーザにより操作対象とされないバックグラウンドで実行されるアプリケーションソフトウェアであることを特徴とする。
【００１２】
請求項５に記載の発明は、外部の決済処理端末と電波により通信するためのＩＣチップが搭載された携帯端末であって、前記携帯端末が備えるメモリに記憶された累積利用金額情報であって取引における累積利用金額を示す累積利用金額情報を所定のタイミングで前記メモリから取得する累積利用金額取得手段と、前記累積利用金額取得手段により取得された前記累積利用金額情報が示す累積利用金額が予め設定された基準金額以上である場合、前記携帯端末のユーザのオーソリゼーションの確認要求を通信ネットワークを介してホストサーバへ送信する確認要求送信手段と、前記オーソリゼーションの確認結果が良好の場合に、当該ホストサーバから前記通信ネットワークを介して送信されるコマンドであって前記累積利用金額をリセットさせるコマンドを受信するコマンド受信手段と、前記コマンド受信手段により受信された前記コマンドにしたがって、前記メモリに記憶された前記累積利用金額情報が示す累積利用金額をリセットさせる累積利用金額リセット手段と、を備えることを特徴とする。
【００１３】
請求項６に記載の発明は、外部の決済処理端末と電波により通信するためのＩＣチップが搭載された携帯端末と通信ネットワークを介して通信可能なホストサーバであって、前記携帯端末は、メモリに記憶された累積利用金額情報であって取引における累積利用金額を示す累積利用金額情報を所定のタイミングで前記メモリから取得し、取得した前記累積利用金額情報が示す累積利用金額が予め設定された基準金額以上である場合、前記携帯端末のユーザのオーソリゼーションの確認要求を通信ネットワークを介してホストサーバへ送信するものであり、前記ホストサーバは、前記携帯端末から前記通信ネットワークを介して送信される前記オーソリゼーションの確認要求を受信する確認要求受信手段と、前記確認要求受信手段により受信された前記確認要求に応じて、前記オーソリゼーションの確認処理を実行する確認処理実行手段と、前記確認処理実行手段により確認された前記オーソリゼーションの確認結果が良好の場合に、前記累積利用金額をリセットさせるコマンドを前記通信ネットワークを介して前記携帯端末へ送信するコマンド送信手段と、を備えることを特徴とする。
【発明の効果】
【００１４】
本発明によれば、携帯電話機等の携帯端末と決済処理端末との少なくとも何れか一方が第２のトランザクションをサポートしていない場合であっても、当該携帯端末内に記憶されている累積利用金額をリセットすることができる。
【図面の簡単な説明】
【００１５】
【図１】本実施形態に係る通信システムＳの概要構成例を示す図である。
【図２】（Ａ）は、本実施形態に係る携帯端末１の概要構成例を示すブロック図であり、（Ｂ）は、本実施形態に係るホストサーバ３の概要構成例を示すブロック図である。
【図３】本通信システムＳにおいて携帯端末１に記憶された累積利用金額がリセットされる動作を示すシーケンス図である。
【発明を実施するための形態】
【００１６】
以下、図面を参照して本発明の実施形態について詳細に説明する。以下に説明する実施形態は、通信システムに対して本発明を適用した場合の実施の形態である。
【００１７】
先ず、図１等を参照して、本実施形態に係る通信システムＳの構成及び機能概要を説明する。
【００１８】
図１は、本実施形態に係る通信システムＳの概要構成例を示す図である。図１に示すように、通信システムＳは、携帯端末１、決済処理端末２、及びホストサーバ３（ホストコンピュータ）等を備えて構成される。ホストサーバ３は、インターネットにより構成される通信ネットワークＮＷに接続されている。携帯端末１は、無線通信回線（例えば、３Ｇ（3rd Generation）回線又はＷｉ−Ｆｉ（Wireless Fidelity）回線）、及び通信ネットワークＮＷを介してホストサーバ３に接続可能になっている。決済処理端末２は、例えば店舗に設置され、例えばオンライン決済時に専用線を介してホストサーバ３に接続可能になっている。また、決済処理端末２は、当該決済処理端末２に接続された読取器（例えば、ＩＣカードリーダライタ）により発せられる電波により携帯端末１との間で無線通信（例えばＮＦＣの規格で規定される非接触通信）を行いつつ取引の決済処理を行うことが可能になっている。なお、決済処理端末２は、上述した第２のトランザクションをサポートしていない。
【００１９】
携帯端末１には、ＳＩＭカード１８（小型ＩＣカード）、及びＣＬＦ（Contactless Front End)１９が搭載される。なお、携帯端末１は、例えば携帯電話機やスマートフォン等である。ＳＩＭカード１８は、ＵＩＣＣ（Universal Integrated Circuit Card）の一つであり、例えば、従来のＳＩＭ（Subscriber Identity Module）をベースに機能を拡張された接触型ＩＣチップを搭載する。なお、ＳＩＭカード１８は、例えばクレジット決済による取引における累積利用金額を示す累積利用金額情報を記憶するメモリの一例である。ＣＬＦ１９は、外部の決済処理端末２に接続された読取器と電波により通信（例えばＮＦＣの規格で規定される非接触通信）するための非接触型ＩＣチップ（例えばＮＦＣモジュール）である。ＣＬＦ１９には、非接触通信のフィールド内で当該通信を行うためのアンテナが接続されている。なお、ＣＬＦ１９は、携帯端末１のＯＳにより操作可能になっている。
【００２０】
図２（Ａ）は、本実施形態に係る携帯端末１の概要構成例を示すブロック図である。図２（Ａ）に示すように、携帯端末１は、制御部１１（コンピュータの一例）、記憶部１２、無線通信部１３、表示部１４、入力部１５、及びＩＣカードインターフェース１６等を備えて構成され、これらの構成要素はバス１７を介して相互に接続される。
【００２１】
制御部１１は、ＣＰＵ（Central Processing Unit）、ＲＯＭ（Read Only Memory）、及びＲＡＭ（Random Access Memory）等により構成される。記憶部１２は、例えばフラッシュメモリ等の不揮発性メモリにより構成される。上記ＲＯＭまたは記憶部１２には、オペレーティングシステム（ＯＳ）及びミドルウェアが記憶される。また、記憶部１２には、携帯端末１にインストールされたＡＰＩ（Application Program Interface）及びアプリケーションソフトウェア（アプリケーションプログラム言語から構成されるソフトウェア）等が記憶される。ＡＰＩは、アプリケーションソフトウェアからオペレーティングシステムの機能を利用するためのインターフェースである。アプリケーションソフトウェアは、例えば所定のサーバからダウンロード可能なプログラムであり、これには、取引における累積利用金額をリセットするための累積利用金額リセットプログラム（本発明の情報処理プログラムの一例）が含まれる。累積利用金額リセットプログラム（以下、「累積利用金額リセットアプリ」という）は、オペレーティングシステム上でユーザにより操作対象とされないバックグラウンドで実行される。
【００２２】
無線通信部１３は、アンテナを有し、移動体通信網における基地局との間で行われる無線通信を制御する。表示部１４は、例えばタッチパネル方式の表示パネルを有し、表示パネルへの表示制御、及びユーザからの操作指示の受け付けを行う。入力部１５は、ユーザからの操作指示を入力するための操作ボタンを有し、操作ボタンに応じた信号を制御部１１に出力する。ＩＣカードインターフェース１６は、制御部１１とＳＩＭカード１８との間のインターフェース、及び制御部１１とＣＬＦ１９にとの間のインターフェースを担う。そして、制御部１１は、オペレーティングシステムの動作中にバックグラウンドで累積利用金額リセットプログラムを実行することで、本発明における累積利用金額取得手段、確認要求送信手段、コマンド受信手段、及び累積利用金額リセット手段等として機能する。
【００２３】
図２（Ｂ）は、本実施形態に係るホストサーバ３の概要構成例を示すブロック図である。図２（Ｂ）に示すように、ホストサーバ３は、制御部３１、記憶部３２、及び通信部３３等を備えて構成され、これらの構成要素はバス３４を介して相互に接続される。
【００２４】
制御部３１は、ＣＰＵ、ＲＯＭ、及びＲＡＭ等により構成される。記憶部３２は、例えばハードディスクドライブ等により構成される。記憶部３２には、オペレーティングシステム及びサーバプログラム等が記憶される。また、記憶部３２には、例えばクレジットカード会社の会員であるユーザの会員番号、オーションゼーション（信用承認）に関する情報（クレジット決済の可否及び利用限度額等）、及び取引履歴等の情報を登録するための会員データベースが構築されている。そして、制御部３１は、オペレーティングシステムの動作中にサーバプログラムを実行することで、本発明における確認要求受信手段、確認処理実行手段、及びコマンド送信手段等として機能する。
【００２５】
次に、図３を参照して、本通信システムＳにおいて携帯端末１に記憶された累積利用金額がリセットされる動作例を説明する。図３は、本通信システムＳにおいて携帯端末１に記憶された累積利用金額がリセットされる動作を示すシーケンス図である。制御部１１においてバックグラウンドで動作する累積利用金額リセットアプリは、所定のタイミングで累積利用金額要求コマンドをＡＰＩへ送る（ステップＳ１）。
【００２６】
ここで、所定のタイミングは、例えばタイマーにより所定時間間隔（例えば２４時間間隔）で到来するようにセットされる。ＡＰＩは、累積利用金額リセットアプリからの累積利用金額要求コマンドをＳＩＭカード１８へ送る（ステップＳ２）。ＳＩＭカード１８は、ＡＰＩからの累積利用金額要求コマンドに応じて、累積利用金額情報をメモリから読み出し、これをＡＰＩに送る（ステップＳ３）。ＡＰＩは、ＳＩＭカード１８からの累積利用金額情報（レスポンス）を、累積利用金額リセットアプリへ送る（ステップＳ４）。こうして、制御部１１は、累積利用金額リセットアプリにより累積利用金額情報を取得することになる。
【００２７】
次いで、制御部１１における累積利用金額リセットアプリは、ＳＩＭカード１８から取得された累積利用金額情報が示す累積利用金額が、予め設定された基準金額（例えば、クレジットカード会社により予め定められた金額）を以上であるか（または超えるか）否かを判定する（ステップＳ５）。そして、累積利用金額が、予め設定された基準金額（例えば、クレジットカード会社により予め定められた金額）を以上である（または超える）場合（ステップＳ５：ＹＥＳ）、累積利用金額リセットアプリは、携帯端末１のユーザのオーソリゼーションの確認要求を、無線通信回線及び通信ネットワークＮＷを介してホストサーバ３へ送信する（ステップＳ６）。この確認要求には、例えば携帯端末１のユーザに付与された会員番号等が含まれる。一方、累積利用金額が、予め設定された基準金額を以下でない（または超えていない）場合（ステップＳ５：ＮＯ）、累積利用金額リセットアプリは、次回のタイミングになるまで待機する（ステップＳ７）。
【００２８】
次いで、ホストサーバ３の制御部３１は、携帯端末１から通信ネットワークワークＮＷを介して送信されたオーソリゼーションの確認要求を受信すると、当該確認要求に応じて、上述した会員データベースを参照し、オーソリゼーションの確認処理を実行する（ステップＳ８）。次いで、ホストサーバ３の制御部３１は、確認処理により確認したオーソリゼーションの確認結果が良好の場合に、累積利用金額リセットコマンド群を、通信ネットワークワークＮＷ及び無線通信回線を介して携帯端末１へ送信する（ステップＳ９）。累積利用金額リセットコマンド群には、累積利用金額をリセットさせるリセットコマンドが含まれる。
【００２９】
次いで、累積利用金額リセットアプリは、ホストサーバ３から通信ネットワークワークＮＷ及び無線通信回線を介して送信された累積利用金額リセットコマンド群を受信すると、累積利用金額リセットコマンド群に含まれる更新権限供与コマンドをＡＰＩに送る（ステップＳ１０）。更新権限供与コマンドは、ＳＩＭカード１８に対して累積利用金額の更新（リセット）の権限を与えるためのコマンドである。ＡＰＩは、累積利用金額リセットアプリからの更新権限供与コマンドをＳＩＭカード１８へ送る（ステップＳ１１）。ＳＩＭカード１８は、ＡＰＩからの更新権限供与コマンドに応じて、更新権限供与レスポンスをＡＰＩへ送る（ステップＳ１２）。ＡＰＩは、ＳＩＭカード１８からの更新権限供与レスポンスを累積利用金額リセットアプリへ送る（ステップＳ１３）。累積利用金額リセットアプリは、ＡＰＩからの更新権限供与レスポンスに応じて、累積利用金額リセットコマンド群に含まれるリセットコマンドをＡＰＩに送る（ステップＳ１４）。ＡＰＩは、累積利用金額リセットアプリからのリセットコマンドをＳＩＭカード１８へ送る（ステップＳ１５）。ＳＩＭカード１８は、ＡＰＩからのリセットコマンドに応じて、メモリに記憶された累積利用金額情報が示す累積利用金額をリセット（例えば、０に）し（ステップＳ１６）、リセットしたことを示すレスポンスをＡＰＩへ送る（ステップＳ１７）。ＡＰＩは、ＳＩＭカード１８からのレスポンスを累積利用金額リセットアプリへ送る（ステップＳ１８）。以上のように、制御部１１における累積利用金額リセットアプリは、ホストサーバ３からの累積利用金額リセットコマンド群にしたがって、ＳＩＭカード１８のメモリに記憶された累積利用金額を示す累積利用金額をリセットさせることになる。
【００３０】
以上説明したように、上記実施形態によれば、ＳＩＭカード１８に記憶された累積利用金額情報を例えば所定時間間隔で繰り返しＳＩＭカード１８から取得し、当該累積利用金額が予め設定された基準金額以上である場合、携帯端末１のユーザのオーソリゼーションの確認要求を、無線通信回線及び通信ネットワークＮＷを介してホストサーバ３へ送信し、当該オーソリゼーションの確認結果が良好の場合に、当該ホストサーバ３から送信された累積利用金額リセットコマンド群にしたがって、ＳＩＭカード１８に記憶された累積利用金額情報が示す累積利用金額をリセットさせるように構成したので、携帯端末１と決済処理端末２との少なくとも何れか一方が第２のトランザクションをサポートしていない場合であっても、携帯端末１内に記憶されている累積利用金額をリセットすることができる。
【００３１】
なお、上記実施形態においては、決済処理端末２が第２のトランザクションをサポートしていない場合を例にとって説明したが、携帯端末１と決済処理端末２の両方が第２のトランザクションをサポートしている場合であっても、ホストサーバ３から決済処理端末２を経由してリセットコマンドを携帯端末１へ送信できない場合がある。例えば、磁気カードからＩＣカードへの移行時に、ホストサーバ３が改修されずに、サードパーティーの決済代行サービスを受けることによって、ＩＣカード用の電文を磁気カード用の電文へと変換して実現している場合がある。この場合、ホストサーバ３と、第２のトランザクションをサポートする決済処理端末２との間に認証代行サーバが介在する。そして、当該認証代行サーバは、ホストサーバ３と決済処理端末２との間の電文を変換して中継することになるが、この経路ではリセットコマンドが生成されない。このような場合、通信ネットワークＮＷに接続される新たなホストサーバが設けられる。そして、当該新たなホストサーバが、ホストサーバ３からオーソリゼーションの状況確認等を行い、本発明における確認要求受信手段、確認処理実行手段、及びコマンド送信手段等として機能し、図３に示すホストサーバ３の処理を行うことになる。
【符号の説明】
【００３２】
１  携帯端末
２  決済処理端末
３  ホストサーバ
１１  制御部
１２  記憶部
１３  無線通信部
１４  表示部
１５  入力部
１６  ＩＣカードインターフェース
Ｓ  通信システム
【図１】
2015087826.tif 000003
【図２】
2015087826.tif 000004
【図３】
2015087826.tif 000005